(57)【特許請求の範囲】
【請求項１】
炭素繊維強化プラスチックで形成された筒状のポール本体、及び前記ポール本体の一端部に接合された金属製の筒状部材からなる水中カメラ用アーム部材であって、
前記筒状部材は、前記ポール本体の前記一端部の外周面を覆うと共に、内周側に軸に沿う断面形状において内側に向けて所定寸法だけ突出する複数個の突出部を軸方向に所定間隔を離して形成した凹凸部を備え、
前記ポール本体の前記一端部の端面に接触すると共に前記ポール本体の前記一端部側の外周面と前記筒状部材の内周面とを離間させる第１スペーサ部材と、
前記ポール本体の外周面と前記筒状部材における他端側端部の内周面とを離間させる第２スペーサ部材とを備え、
前記ポール本体の外周面と前記筒状部材との間であって、前記第１スペーサ部材と前記第２スペーサ部材との間に形成される空間に前記ポール本体と前記筒状部材とを絶縁しつつ固着する接着材を充填したことを特徴とする水中カメラ用アーム部材。
【請求項２】
前記筒状部材は、他の部材が接続可能なジョイント部材を備え、
前記ジョイント部材は、前記筒状部材及び前記ポール本体の前記一端部の端面を覆う円板部とからなるキャップ部と、前記キャップ部に隣接して形成され、他の部材と接続可能なジョイント部とからなることを特徴とする請求項１に記載の水中カメラ用アーム部材。
【請求項３】
前記ジョイント部材には、前記ジョイント部から前記ポール本体の内部に連通する導水孔部が設けられていることを特徴とする請求項２に記載の水中カメラ用アーム部材。
【請求項４】
前記ジョイント部は球形であることを特徴とする請求項２又は請求項３に記載の水中カメラ用アーム部材。
【請求項５】
前記ジョイント部は、連通孔部を開設した平板部材を備えることを特徴とする請求項２又は請求項３に記載の水中カメラ用アーム部材。
【請求項６】
前記ジョイント部材は、前記キャップ部に互いに平行になるように立設形成された複数の板状部材を備え、前記板状部材には各板状部材の間隔を変更するねじ部材を挿入可能な貫通孔部が形成されて構成されることを特徴とする請求項２又は請求項３に記載の水中カメラ用アーム部材。
【請求項７】
前記筒状部材の外周には雄ねじ部が形成され、雌ねじ部を形成した筒体がねじ込み可能に構成されていることを特徴とする請求項１に記載の水中カメラ用アーム部材。
【請求項８】
前記キャップ部の筒状部材の内面に形成された突出部は螺旋状に形成されていることを特徴とする請求項２から請求項６までのいずれか一項に記載の水中カメラ用アーム部材。
【発明の詳細な説明】
【技術分野】
【０００１】
本発明は、炭素繊維強化プラスチック製のポール本体とこのポール本体の端部に取り付けられた金属製の筒状部材とを備える水中カメラ用アーム部材に関する。
【背景技術】
【０００２】
炭素繊維強化プラスチック製のポール本体とこのポール本体に取付けられた金属製の筒状部材とを備えるボール部材は、水中カメラ用アームに使用される。水中カメラ用アームは水中カメラ本体に外部照明装置を水中カメラ本体から離れた位置に保持するために使用される。この種の水中カメラ用アームとして、円筒状のポール本体の両端又は一端に金属製のジョイント部材を配置した構造を備えるものがある。また、水中カメラ用アームとしては、ポール本体に伸縮機構を備えたものもある。このような伸縮機構を実現するためには、炭素繊維強化プラスチック製のポール本体に外周に雄ねじ部を形成した筒状部材を接合している。このような水中カメラ用アームは、使用上の要請から、水中カメラ用アームは、軽量で高い強度が求められる。また、水中カメラ用アームは、海中で使用されることから、海水に対する耐腐食性も求められる。
【０００３】
一般に水中カメラ用アームは、軽量アルミニウム合金を素材とするものが多く使用されている。近年、更に軽量化を図るため、水中カメラ用アームのポール本体を炭素繊維強化プラスチックで作成することが提案されている。
【０００４】
しかし、ポール本体を炭素繊維強化プラスチックで形成した場合であっても、ボールジョイントはその成形性、耐摩耗性を良好にするため軽量アルミニウム合金で形成される。このように、異種素材を接合した物品を海水中に配置した場合、異種素材におけるイオン化傾向の相違から、電位差が発生して電解腐食しやすいことが知られている。
【０００５】
上述の炭素繊維強化プラスチック製のポール本体を備える水中カメラ用アームは、ポール本体と、ボールジョイント部に従来からの腐食対策を施して、ポール本体にボールジョイントをねじ込んで接合して海中に持ち込むと電界侵食が発生する。即ち、軽量アルミニウム合金製のボールジョイントや、水中カメラ用アームを取付けるアルミニウム製の水中カメラハウジングが電界腐食されてしまう。これは、上述したように、イオン化傾向の異なる材質からなる部材が接触又は近接し、その間に水分が介在すると、イオン化傾向の高い材質が酸化して腐食が発生するからである。
【０００６】
アルミニウム、はイオン化傾向が大きく、炭素繊維は、アルミニウムよりイオン化傾向が数段小さく、水中では、イオン化傾向の大きいアルミニウムが陽極に、イオン化傾向の小さいカーボン繊維が陰極となって、電流が生じる。このため、陽極となったアルミニウムの原子が電子を放出して酸化(電界腐食)するのである。
【０００７】
塩素イオン濃度が高い海水では、電気伝導率が真水より上昇し、更に腐食速度を増加させる。海中で使用するアルミニウムは、通常、耐蝕性能を上げるため、表面を陽極酸化被膜で覆うアルマイト処理を行っている。しかし、電気伝導率の高い海中では、アルマイト処理がなされていても、細かな使用時のスレや経年変化などから細かいクラックがアルマイト被膜に入り、このクラックから海水が浸透し通電することとなる。
【０００８】
また、炭素繊維強化プラスチック製のポール本体も、母材であるエポキシ樹脂の中に通電するカーボン繊維が編み込まれており、陸上の使用では、通電することはない。しかし、海中ではアルミニウム部材のアルマイト処理面と同様に使用時の細かなスレや経年変化などから細かいクラックがエポキシ樹脂の中に入り、クラックから海水が浸透し通電することとなる。また、ポール本体の切断面には炭素繊維が露出していることがあり、通電が発生する。
【０００９】
通常水中カメラシステムにあっては、イオン化傾向の違うステンレスや真鍮のねじや部品を組み込んで、アルミニウムを海中で使用されている。しかし、組み込むステンレスのねじ、真鍮の部品がカーボンアームと比べ小さいこともあり、今までの経験上、アルマイト処理のみで問題はないとされた。
【００１０】
しかし、発明者の試験によれば、イオン化傾向が数段小さい炭素繊維強化プラスチックに接触又は近接した状態で組み込まれているアルミニウム部材は、1カ月間の長時間の海中に設置すると溶けるように激しい電界腐食が見られた。更にもう1カ月という長いサイクルの海中設置テストでは、カーボンアームを接続した水中カメラシステムに使われているアルミニウム製のクランプなどにも、同じように激しい電界腐食が見られた。
【００１１】
炭素繊維強化プラスチック製のポール本体と軽量アルミニウム合金製のボールジョイントを備える水中カメラ用アームは、長期間の海中での使用を考えると、従来のアルマイト処理だけでなく、更に絶縁性能を対策する必要がある。
【００１２】
このように海水中での電界腐食を防止するため、特許文献１には、金属材料と炭素繊維強化プラスチック（ＣＦＲＰ）積層材料とを接合して構成される異材継手において、両材料間の全接合面に介在すると共に量材料の中間的力学特性を有し導電性の低い中間材料を具備してなることを特徴とする異材継手が開示されている。
【特許文献１】実公平３−６９７０８公報
【発明の開示】
【発明が解決しようとする課題】
【００１３】
しかし、特許文献１に記載のように、円筒状のポール本体に接着材を介して軽量アルミニウム合金製のボールジョイントを単純に接合するだけでは、以下場合通電が発生するから、腐食を有効に防止できないという問題がある。
（１）炭素繊維強化プラスチックのポール本体の切断面が海水に触れてしまう。
（２）ボールジョイントとポール本体を構成する炭素繊維とが直接接触してしまう。
（３）ボールジョイントとポール本体とを接合する接着材の層に泡が混入してクラックが発生し、海水がしみ込んでしまう。
【００１４】
本発明は上述した課題に鑑みてなされたものであり、海水中で長期間にわたり使用したとしても腐食が生じることがない水中カメラ用アーム部材を提供することを目的とする。
【課題を解決するための手段】
【００１５】
前記課題を解決する請求項１に記載の発明は、炭素繊維強化プラスチックで形成された筒状のポール本体、及び前記ポール本体の一端部に接合された金属製の筒状部材からなる水中カメラ用アーム部材であって、前記筒状部材は、前記ポール本体の前記一端部の外周面を覆うと共に、内周側に軸に沿う断面形状において内側に向けて所定寸法だけ突出する複数個の突出部を軸方向に所定間隔を離して形成した凹凸部を備え、  前記ポール本体の前記一端部の端面に接触すると共に前記ポール本体の前記一端部側の外周面と前記筒状部材の内周面とを離間させる第１スペーサ部材と、 前記ポール本体の外周面と前記筒状部材における他端側端部の内周面とを離間させる第２スペーサ部材とを備え、  前記ポール本体の外周面と前記筒状部材との間であって、前記第１スペーサ部材と前記第２スペーサ部材との間に形成される空間に前記ポール本体と前記筒状部材とを絶縁しつつ固着する接着材を充填したことを特徴とする水中カメラ用アーム部材である。
請求項１に記載の発明によれば、ポール本体と筒状部材とは、第１スペーサ部材、第２スペーサ部材及び接着材により絶縁されている。このため、炭素繊維強化プラスチックのポール本体の切断面が海水に触れたり、筒状部材とポール本体を構成する炭素繊維とが直接接触したりする事態を防止できる。また、ポール本体は、単なる筒状部材であり他に加工が施されていない。このため、炭素繊維が表面に露出しない。また、ポール本体の端部切断面は、第１スペーサ部材に接触しており、炭素繊維が他の部材に接触しない。このため、電解腐食が防止される。
【００１６】
同じく請求項２に記載の発明は、前記筒状部材は、他の部材が接続可能なジョイント部材を備え、前記ジョイント部材は、前記筒状部材及び前記ポール本体の前記一端部の端面を覆う円板部とからなるキャップ部と、前記キャップ部に隣接して形成され、他の部材と接続可能なジョイント部とからなることを特徴とする水中カメラ用アーム部材である。
請求項２に記載の発明によれば、ジョイント部に他の部材を接合でき、アーム部材を水中カメラ用アームとして使用できる。
【００１７】
同じく請求項３に記載の発明は、前記ジョイント部材には、前記ジョイント部から前記ポール本体の内部に連通する導水孔部が設けられていることを特徴とする水中カメラ用アーム部材である。
本発明によれば、導水孔部から水がポール本体に流入する。このため、メンテナンス時において、ポール本体内から洗浄用の真水を排出することができる他、水中での使用時にポール本体に水が入り浮力が発生せず、アーム部材を水中カメラ用アームに使用できる。
【００１８】
同じく請求項４に記載の発明は、前記ジョイント部は球形であることを特徴とする水中カメラ用アーム部材である。
本発明によれば、球形のジョイント部に回転及び角度可変に水中フラッシュ等のアクセサリーを取付けることができる水中カメラ用アームを実現できる。
【００１９】
同じく請求項５に記載の発明は、前記ジョイント部は、連通孔部を開設した平板部材を備えることを特徴とする水中カメラ用アーム部材である。
本発明によれば、連通孔部を形成した板状のジョイント部に回転及び角度可変に水中フラッシュ等のアクセサリーを取付けることができる水中カメラ用アームを実現できる。
【００２０】
同じく請求項６に記載の発明は、前記ジョイント部材は、前記キャップ部に互いに平行になるように立設形成された複数の板状部材を備え、前記板状部材には各板状部材の間隔を変更するねじ部材を挿入可能な貫通孔部が形成されて構成されることを特徴とする水中カメラ用アーム部材である。
本発明によれば、複数の板状部材で構成したジョイント部に回転及び角度可変に水中フラッシュ等のアクセサリーを取付けることができる水中カメラ用アームを実現できる。
【００２１】
同じく請求項７に記載の発明は、前記筒状部材の外周には雄ねじ部が形成され、雌ねじ部を形成した筒体がねじ込み可能に構成されていることを特徴とする水中カメラ用アーム部材である。
本発明によれば、筒状部材の外周に他の部材をねじ込むことができる。
【００２２】
同じく請求項８に記載の発明は、前記キャップ部の筒状部材の内面に形成された突出部は螺旋状に形成されていることを特徴とする水中カメラ用アーム部材である。
本発明によれば、凹凸部を構成する突出部は螺旋状であるので、接着材がこの螺旋状の凹凸部に沿って流れやすくなる。
【発明の効果】
【００２３】
本発明に係るアーム部材によれば、海水中で長期間にわたり使用したとしても腐食が生じることがない。
【００２４】
即ち、請求項１に記載の発明によれば、ポール本体と筒状部材とは、第１スペーサ部材、第２スペーサ部材及び接着材により絶縁されているため、炭素繊維強化プラスチックのポール本体の切断面が海水に触れたり、筒状部材とポール本体を構成する炭素繊維とが直接接触したりする事態を防止できる。また、キャップ部材の内側には凹凸部が形成されているので、接着材が筒状部材に良好に接合する。更に、ポール本体は、それ自体は単なる筒状部材であり他に加工が施されておらず、炭素繊維が表面に露出しない。また、ポール本体の端部切断面は、第１スペーサ部材に接触しており、炭素繊維が他の部材に接触しないため、電解腐食が防止される。
【００２５】
また、請求項２に記載の発明によれば、ジョイント部に他の部材を接合でき、アーム部材を水中カメラ用アームとして使用できる。
【００２６】
また、請求項３に記載の発明によれば、導水孔部から水がポール本体に流入する。このため、メンテナンス時において、ポール本体内から洗浄用の真水を排出することができる他、水中での使用時にポール本体に水が入り浮力が発生せず、アーム部材を水中カメラ用アームに使用できる。
【００２７】
また、請求項４乃至請求項６に記載の発明によれば、ジョイント部に回転及び角度可変に水中フラッシュ等のアクセサリーを取付けることができる。
【００２８】
更に、請求項７に記載の発明によれば、筒状部材の外周に他の部材をねじ込むことができる。
【００２９】
そして、請求項８に記載の発明によれば、凹凸部を構成する突出部は螺旋状に形成されているので、接着材がこの螺旋状の凹凸部に沿って流れやすくなる。
【図面の簡単な説明】
【００３０】
【図１】本発明の第１実施形態に係る水中カメラ用アームを示す斜視図である。
【図２】同水中カメラ用アームの図１中のＡ−Ａ線に相当する断面図である。
【図３】同水中カメラ用アームの要部を示す拡大断面図である。
【図４】本発明の第２実施形態に係る水中カメラ用アームを示すものであり、（ａ）はジョイント部の縦断面図、（ｂ）は（ａ）中のI-I線に相当する断面図である。
【図５】本発明の第３実施形態に係る水中カメラ用アームを示すものであり、（ａ）はジョイント部の縦断面図、（ｂ）は（ａ）中のII-II線に相当する断面図である。
【図６】本発明の第４実施形態に係るアーム部材を示す断面図である。
【発明を実施するための最良の形態】
【００３１】
本発明を実施するための形態に係るアーム部材について説明する。
【００３２】
＜第１実施形態＞
以下本発明に係るアーム部材の第１実施形態として水中カメラ用アームについて説明する。図１は本発明の実施形態に係る水中カメラ用アームを示す斜視図である。
【００３３】
本実施形態に係る水中カメラ用アーム１０は、本発明に係るアーム部材を組み合わせて伸縮可能な構造を備える。即ち、水中カメラ用アーム１０は、ポール本体である外側ポール本体２０と、同じくポール本体である内側ポール本体３０とを備える。外側ポール本体２０には、筒状部材を含むジョイント部材である第１ボールジョイント部材４０が接続され、内側ポール本体３０には、ジョイント部材である第２ボールジョイント部材５０が接続されている。第１ボールジョイント部材４０、第２ボールジョイント部材５０は、他部材との接続のために使用される。水中カメラ用アーム１０は、外側ポール本体２０内に外側ポール本体２０を収納した縮小状態（図１中実線で示した）と、内側ポール本体３０を外側ポール本体２０から引き出した伸張状態（同仮想線で示した）、及びこの中間位置に設定することができる。
【００３４】
外側ポール本体２０は、グリップ２１、つまみ部２２を備える。グリップ２１を保持しつつ、つまみ部２２をリリース方向に回転することにより、内側ポール本体３０を外側ポール本体２０に対して移動可能である。同様に、つまみ部２２をロック方向に回転することにより、外側ポール本体２０に内側ポール本体３０を固定した状態に設定できる。これらの伸縮機構及びリリース、ロック機構は公知である。外側ポール本体２０及び内側ポール本体３０は、炭素繊維強化プラスチックで形成されている。また、第１ボールジョイント部材４０及び第２ボールジョイント部材５０は、金属製、例えば軽量アルミニウム合金で作成されている。
【００３５】
外側ポール本体２０と第１ボールジョイント部材４０、内側ポール本体３０と第２ボールジョイント部材５０とは接着材で接合され、それらの基本構造は同一であるので、以下、内側ポール本体３０と第２ボールジョイント部材５０の構造について説明する。図２は同水中カメラ用アームの要部を示す断面図、図３は同水中カメラ用アームの要部を示す拡大断面図である。
【００３６】
内側ポール本体３０は、所定の外径Ｄを備える炭素繊維強化プラスチック製の筒状に形成されたポール本体であり、一端部（図中上端部）３１に第２ボールジョイント部材５０が接着材１００により固着されている。内側ポール本体３０の一端部の端面には切断面がそのまま現れている。
【００３７】
第２ボールジョイント部材５０は、キャップ部６０と、このキャップ部６０に隣接して設けられた球形ジョイント部７０と、を備える。キャップ部６０は、内側ポール本体３０の一端部３１の外周面を覆う筒状部材をなす筒状部６１と、内側ポール本体３０の一端部の端面を覆う円板部６２とからなる。球形ジョイント部７０は、球形部７１と、この球形部７１をキャップ部６０に接続する首部７２とからなる。球形部７１にはゴムリング７３がはめ込まれる溝部７４が形成される他、内側ポール本体３０に連通する導水孔部７５、導水孔部７５の内面に形成された雌ねじ部７６を備える。雌ねじ部７６には、他の部材の雄ねじ部をねじ込み、連結することができる。
【００３８】
キャップ部６０において、筒状部６１には、図３に示すように、軸Ｏに沿う断面形状において、内側に向けて所定寸法ｄだけ突出する複数個の突出部６３が形成されている。突出部６３は、軸方向に所定間隔を離して形成され、これらは凹凸部６４を形成する。この凹凸部６４の内径Ｄ１は、上述した内側ポール本体３０の外径Ｄより寸法２ｄ以上大きく（Ｄ１＋２ｄ＞Ｄ）、キャップ部６０を内側ポール本体３０に固着した状態で、突出部６３の先端は内側ポール本体３０に接触しない。このため、接着材１００を充填した状態で、突出部６３と内側ポール本体３０の外周面との間には、接着材１００が介在して、両者を絶縁する。本例では、突出部６３は断面形状を略矩形とし、凹凸部６４は、筒状部６１の内周面において螺旋形の雌ねじ形状となっている。
【００３９】
また、本実施形態では、内側ポール本体３０と第２ボールジョイント部材５０のキャップ部６０の間には、第１スペーサ部材８０と、第２スペーサ部材９０とが配置されている。
【００４０】
第１スペーサ部材８０は、環状スペーサ部８１とこの環状スペーサ部８１の外周から図中下方に向け延設される短筒状スペーサ部８２とからなり、断面Ｌ字状の環状部材をなしている。環状スペーサ部８１は、内側ポール本体３０の一端部３１の端面とキャップ部６０の円板部６２との間に配置される。短筒状スペーサ部８２は、内側ポール本体３０の一端部３１側の外周面と筒状部６１の内周面との間に配置される。第１スペーサ部材８０は、絶縁物であり例えば合成樹脂で構成されている。第１スペーサ部材８０の環状スペーサ部８１は、内側ポール本体３０の一端部３１の端面３１ａを覆って、第２ボールジョイント部材５０のキャップ部６０及び海水が端面３１ａに露出する炭素繊維に接触するのを防止する。また、第１スペーサ部材８０の短筒状スペーサ部８２は、内側ポール本体３０の外周面とキャップ部６０の筒状部６１の内周面とを離間させて、両者の接触を防止し、絶縁する。
【００４１】
第２スペーサ部材９０は、短筒状スペーサ部９１と、この短筒状スペーサ部９１の下側端部から外方に向けて延設されたフランジ部９２とからなる断面Ｌ字状の環状部材である。第２スペーサ部材９０は合成樹脂で形成される。短筒状スペーサ部９１は、内側ポール本体３０の外周面とキャップ部６０の筒状部６１における反球形ジョイント側端部（図中下部）の内周面との間に配置される。フランジ部９２は、この短筒状スペーサ部９１から外側に突出して筒状部６１の下端部に接触する。第２スペーサ部材９０の短筒状スペーサ部９１は、内側ポール本体３０の外周面とキャップ部６０の筒状部６１の内周面とを離間させて、接触を防止し、両者の間を絶縁する。また、第２スペーサ部材９０は、接着材１００のキャップ部６０からのはみ出しを防止する。
【００４２】
そして、本実施形態では、内側ポール本体３０の外周面とキャップ部６０の筒状部６１との間であって、第１スペーサ部材８０と前記第２スペーサ部材９０との間の空間には、内側ポール本体３０とキャップ部６０とを絶縁しつつ固着する接着材１００が充填されている。この接着材１００により、内側ポール本体３０と第２ボールジョイント部材５０とを固着するとともに、内側ポール本体３０と第２ボールジョイント部材５０との間を絶縁する。
【００４３】
次に内側ポール本体３０と第２ボールジョイント部材５０との接合手順について説明する。内側ポール本体３０に第２ボールジョイント部材５０を接合するには、まず、キャップ部６０の内部に第１スペーサ部材８０をはめ込む。このとき、環状スペーサ部８１が円板部６２の内面に、短筒状スペーサ部８２が筒状部６１の内面に密着するようにする。次いで、キャップ部６０の凹凸部６４に接着材１００、例えばエポキシ樹脂接着材を塗布する。このとき、接着材１００は、凹凸部６４の突出部６３により垂れ落ちが防止される。なお、接着材１００を内側ポール本体３０側に塗布しておくことができる。
【００４４】
次いで、内側ポール本体３０の一端部３１をキャップ部６０の筒状部６１内に挿入して、一端部３１の端面３１ａが第１スペーサ部材８０の環状スペーサ部８１に当接するまで押し入れる。このとき、凹凸部６４に塗布された接着材１００は、螺旋形の凹凸部６４に沿って流れる他、突出部６３と内側ポール本体３０の外周で押付けられる。
【００４５】
更に、内側ポール本体３０の図中下方の端部から第２スペーサ部材９０をはめ込み、第２スペーサ部材９０の短筒状スペーサ部９１をキャップ部６０の筒状部６１と内側ポール本体３０の間に押し入れ、フランジ部９２をキャップ部６０の端部に接触させる。これにより、第２スペーサ部材９０の短筒状スペーサ部９１が接着材１００を押し込み、内側ポール本体３０の外周面とキャップ部６０の筒状部６１との間であって、第１スペーサ部材８０と第２スペーサ部材９０との間に接着材１００が充填される。接着材１００の硬化を待って、内側ポール本体３０と第２ボールジョイント部材５０の接合は終了する。外側ポール本体２０及び第１ボールジョイント部材４０も同様にして接合される。
【００４６】
以上のように、本実施形態では、内側ポール本体３０と第２ボールジョイント部材５０のキャップ部６０とは、第１スペーサ部材８０、第２スペーサ部材９０及び接着材１００によって絶縁されているため、炭素繊維強化プラスチック製の内側ポール本体３０の切断面が、第２ボールジョイント部材５０のキャップ部６０とが直接接触することを防止できる。また、第２ボールジョイント部材５０の内側には凹凸部６４が形成されているので、第２ボールジョイント部材５０に接着材１００が良好に接合する他、接着材１００による接合に際して接着材１００が凹凸部６４で押されて流れる。また、内側ポール本体３０の端部の切断面は、第１スペーサ部材８０の環状スペーサ部８１に接触しており、炭素繊維が他の部材に接触せず、電解腐食が防止される。
【００４７】
また、本実施形態では、凹凸部６４は螺旋状としているので、接着材１００がこの螺旋状の凹凸部６４に沿って流れやすくなる。
【００４８】
更に、本実施形態によれば、穴部から水がポール本体に流入するので、メンテナンス時において、ポール本体内から洗浄用の真水を排出することができる他、水中での使用時にポール本体に水が入り水中カメラ用アームに浮力が発生しない。そして、本実施形態に係る水中カメラ用アーム１０によれば、球形ジョイント部７０に回転及び角度可変に水中フラッシュ等のアクセサリーを取付けることができる。
【００４９】
＜第２実施形態＞
次に本発明の第２実施形態について説明する。水中カメラ用アームに取付けるアクセサリーの取付け機構にはボールジョイントを用いたもの他、さまざまな構成を備えるものがある。第２実施形態は、このようなボールジョイント以外の取付けに対応するものである。
【００５０】
図４は本発明の第２実施形態に係る水中カメラ用アームを示すものであり、（ａ）はジョイント部の縦断面図、（ｂ）は（ａ）中のI-I線に相当する断面図である。第２実施形態では、ポール本体に接合するジョイント部１１０は、円板部１１５から延設された首部１１２に平板部材１１１を連結して構成している。平板部材１１１は、先端が弧状であり、２つの連通孔部１１３、１１４が開設されている。また、連通孔部１１３の周面から円板部１１５に向け導水孔部１１６がポール本体内に連通するように開設されている。なお、ポール本体とジョイント部との接合構造は第１の実施形態と同じである。
【００５１】
本実施形態によれば、連通孔部１１３を形成した板状のジョイント部１１０に回転及び角度可変に水中フラッシュ等のアクセサリーを取付けることができる。
【００５２】
＜第３実施形態＞
次に本発明の第３実施形態について説明する。図５は本発明の第３実施形態に係る水中カメラ用アームを示すものであり、（ａ）はジョイント部の縦断面図、（ｂ）は（ａ）中のII-II線に相当する断面図である。第３実施形態では、ポール本体に接合するジョイント部１２０は、円板部１２５から延設された３枚の板状部材１２１、１２２、１２３を備える。この板状部材１２１、１２２、１２３は、互いに平行になるように立設形成され、各板状部材１２１、１２２、１２３には、間隔を変更するねじ部材であるボルト１２６を挿入可能な貫通孔部１２１ａ、１２２ａ、１２３ａが形成されている。
【００５３】
このジョイント部１２０では、アクセサリーは、板状部材１２１、１２２、１２３の間にはめ込まれる取付具１２８を介してジョイント部１２０に取付けられる。取付具１２８は２枚の平行板状部材１２９、１３０を備える。ジョイント部１２０に取付具１２８を取付けた状態で、ボルト１２６と蝶ナット１２７でジョイント部１２０の板状部材１２１、１２２、１２３の間隔を狭め、ジョイント部１２０と取付具１２８とを固定する。なお、ボルト１２６の頭部は板状部材１２３に回転しないように埋め込まれている。
【００５４】
また、円板部１２５には、導水孔部１２４がポール本体内に連通するように開設されている。なお、ポール本体とジョイント部との接合構造は第１の実施形態と同じである。
本実施形態によれば、複数の板状部材１２１、１２２、１２３で構成したジョイント部１２０に回転及び角度可変に、防水ケースに入れたアクションカメラ、水中フラッシュ等のアクセサリーを取付けることができる。
【００５５】
＜第５実施形態＞
次に本発明の第５実施形態に係るアーム部材について説明する。この実施形態に係るアーム部材１３０は、炭素繊維強化プラスチック製の筒状のポール本体１３１の一端に金属製の筒状部材１３２を接着材で接合している。また、突出部１３４の外周面には、雄ねじ部１３３が形成されている。更に筒状部材１３２の内側面には、実施形態１と同様に、軸Ｏに沿う断面形状において、内側に向けて所定寸法だけ突出する複数個の突出部１３４が形成されている。
【００５６】
突出部１３４は、軸方向に所定間隔を離して形成され、これらは凹凸部１３５を形成する。この凹凸部１３５の内径は、ポール本体１３１の外径より大きく、筒状部材１３２をポール本体１３１に固着した状態で、突出部１３４の先端はポール本体１３１に接触しない。このため、接着材を充填した状態で、突出部１３４とポール本体１３１の外周面の間には、接着材１４５が介在して、両者を絶縁する。本例では、突出部１３４は断面形状を略矩形とし、凹凸部１３５は、筒状部の内周面において螺旋形の雌ねじ形状となっている。
【００５７】
また、本実施形態では、ポール本体１３１と突出部１３４の間には、第１スペーサ部材１４１と、第２スペーサ部材１４２とが配置されている。本実施形態では、ポール本体１３１の外周面と突出部１３４との間であって、第１スペーサ部材１４１と第２スペーサ部材１４２との間の空間１４５には、ポール本体１３１と突出部１３４とを絶縁しつつ固着する接着材が充填されている。この接着材により、ポール本体１３１と筒状部材１３２とを固着するとともに、内側ポール本体３０と第２ボールジョイント部材５０との間を絶縁する。
【００５８】
第１スペーサ部材１４１及び第２スペーサ部材１４２は、第１実施形態における第１スペーサ部材８０と、第２スペーサ部材９０と同様の構成を備える。本実施形態によれば、金属製の筒状部材１３２が海水等で腐食されることがないし、また、筒状部材の外周に他の部材をねじ込むことができる。
【産業上の利用可能性】
【００５９】
本発明に係るアーム部材は、海水中で長期間にわたり使用したとしても腐食が生じることがなく、海中で腐食しない水中カメラ用アームを実現できるという効果を有し、産業上の利用可能性がある。
【符号の説明】
【００６０】
１０：水中カメラ用アーム
２０：外側ポール本体（ポール本体）
３０：内側ポール本体（ポール本体）
３１：一端部
３１ａ：端面（切断面）
４０：第１ボールジョイント部材（ボールジョイント部材）
５０：第２ボールジョイント部材（ボールジョイント部材）
６０：キャップ部
６１：筒状部
６２：円板部
６３：突出部
６４：凹凸部
７０：球形ジョイント部
７１：球形部
７２：首部
７３：ゴムリング
７４：溝部
７５：導水孔部
７６：雌ねじ部
８０：第１スペーサ部材
８１：環状スペーサ部
８２：短筒状スペーサ部
９０：第２スペーサ部材
９１：短筒状スペーサ部
９２：フランジ部
１００：接着材
１１０：ジョイント部
１１１：平板部材  
１３１：ポール本体
【図１】
0006765711.tif 000002
【図２】
0006765711.tif 000003
【図３】
0006765711.tif 000004
【図４】
0006765711.tif 000005
【図５】
0006765711.tif 000006
【図６】
0006765711.tif 000007